(57)【要約】【課題】容器本体の下部に台部を設けた容器において、従来に比してより安価に製造可能な台付き容器を提供する。【解決手段】下部が小径となる逆円錐台形状の容器本体１１と、容器本体１１の外周下部に密着して取り付けられた厚紙製の下筒部２０と、下筒部２０の下端部を内側に環状に折り返して形成された台部３０とを備えてなる。容器本体１１は容器内部の内容物を透視できる透明樹脂よりなり、下筒部２０には商品の内容表示部２１が形成される。容器本体１１には透明樹脂よりなる蓋体４０が被冠されている。【選択図】図２
0003208182.tif 000002
【実用新案登録請求の範囲】
【請求項１】
下部が小径となる逆円錐台形状の容器本体と、
前記容器本体の外周下部に密着して取り付けられた厚紙製の下筒部と、
前記下筒部の下端部を内側に環状に折り返して形成された台部
とを備えてなることを特徴とする台付き容器。
【請求項２】
前記容器本体が容器内部の内容物を透視できる透明樹脂よりなる請求項１に記載の台付き容器。
【請求項３】
前記容器本体が樹脂シートの成形品よりなる請求項１または２に記載の台付き容器。
【請求項４】
前記下筒部に商品の内容表示部が形成された請求項１ないし３のいずれか１項に記載の台付き容器。
【請求項５】
前記容器本体には透明樹脂よりなる蓋体が被冠されている請求項１ないし４のいずれか１項に記載の台付き容器。
【考案の詳細な説明】
【技術分野】
【０００１】
本考案は、容器本体の下部に台部を有する台付き容器に関する。
【背景技術】
【０００２】
例えば、プリンやヨーグルト等のデザート類や、サラダ等の惣菜類等の食品類を個別に包装してコンビニエンスストアやスーパーマーケット等で販売する場合、熱可塑性樹脂を素材とするカップ状の容器本体に内容物を収容して、蓋体やシート体等で容器本体を適宜封止した容器が用いられる（例えば、特許文献１参照）。この種の容器は、容器の素材や形状等に応じて、射出成形、真空成形、ブロー成形等の適宜の手法により成形される。
【０００３】
上記食品用容器においては、図６に示すように、容器本体１１１の下部に台部１３０が形成された台付き容器１００が好ましく用いられている。符号１１２は容器本体１１１の開口部、１１３は開口部１１２の外周に形成されたフランジ部、１１４は容器本体１１１の胴部、１５は容器本体１１１の底部、１２０は商品名等が印刷表示されて容器本体１１１の胴部１１４に接着されるシール体、１４０は容器本体１１１に被冠される蓋体である。
【０００４】
台付き容器１００の台部１３０は、容器本体１１１を嵩上げすることによって、容器全体の外観性を向上させる。しかしながら、従来の台付き容器にあっては、台部が容器本体と一体に成形されるため、射出成形によって成形されるのが一般的である。そのため、他の成形方法で製造される台部を有しない容器と比較して、製造コストの面で不利となる。
【先行技術文献】
【特許文献】
【０００５】
【特許文献１】特開２０１５−９８５７号公報
【考案の概要】
【考案が解決しようとする課題】
【０００６】
本考案は、前記の点に鑑みなされたものであって、容器本体の下部に台部を設けた容器において、従来に比してより安価に製造可能な台付き容器を提供するものである。
【課題を解決するための手段】
【０００７】
すなわち、請求項１の考案は、下部が小径となる逆円錐台形状の容器本体と、前記容器本体の外周下部に密着して取り付けられた厚紙製の下筒部と、前記下筒部の下端部を内側に環状に折り返して形成された台部とを備えてなることを特徴とする台付き容器に係る。
【０００８】
請求項２の考案は、前記容器本体が容器内部の内容物を透視できる透明樹脂よりなる請求項１に記載の台付き容器に係る。
【０００９】
請求項３の考案は、前記容器本体が樹脂シートの成形品よりなる請求項１または２に記載の台付き容器に係る。
【００１０】
請求項４の考案は、前記下筒部に商品の内容表示部が形成された請求項１ないし３のいずれか１項に記載の台付き容器に係る。
【００１１】
請求項５の考案は、前記容器本体には透明樹脂よりなる蓋体が被冠されている請求項１ないし４のいずれか１項に記載の台付き容器に係る。
【考案の効果】
【００１２】
請求項１の考案に係る台付き容器によると、下部が小径となる逆円錐台形状の容器本体と、前記容器本体の外周下部に密着して取り付けられた厚紙製の下筒部と、前記下筒部の下端部を内側に環状に折り返して形成された台部とを備えてなるため、従来に比して安価かつ簡易に製造することが可能となる。
【００１３】
請求項２の考案によると、請求項１の考案において、前記容器本体が容器内部の内容物を透視できる透明樹脂よりなるため、消費者が内容物を視認することが可能となって購買意欲の促進が期待される等、陳列効果が向上される。
【００１４】
請求項３の考案によると、請求項１または２の考案において、前記容器本体が樹脂シートの成形品よりなるため、より製造コストを低減させることができる。
【００１５】
請求項４の考案によると、請求項１ないし３の考案において、前記下筒部に商品の内容表示部が形成されたため、意匠性や美粧性等を容易に向上させることができ、商品価値が高められる。
【００１６】
請求項５の考案によると、請求項１ないし４の考案において、前記容器本体には透明樹脂よりなる蓋体が被冠されているため、当該容器内への異物等の混入が防止されるとともに、陳列効果が向上される。
【図面の簡単な説明】
【００１７】
【図１】本考案の一実施形態に係る台付き容器の分解斜視図である。
【図２】図１の台付き容器の断面図である。
【図３】第１実施形態に係る下筒部の展開図である。
【図４】第２実施形態に係る下筒部の展開図である。
【図５】第３実施形態に係る下筒部の展開図である。
【図６】従来の台付き容器の断面図である。
【考案を実施するための形態】
【００１８】
図１，２は、本考案の一実施形態に係る台付き容器１０である。この台付き容器１０は、プリン、ヨーグルト、ゼリー、アイスクリーム等のデザート類や、サラダ、豆腐、納豆等の惣菜類等の食品類を内容物として個別に収容するためのものであって、容器本体１１と、下筒部２０と、台部３０と、蓋体４０とを備えてなる。この台付き容器１０は、主にコンビニエンスストアやスーパーマーケット等において、前記の食品類が内容物として収容されて単体または複数セットで店頭に陳列されて販売される。
【００１９】
台付き容器１０において、容器本体１１及び蓋体４０は、例えば、樹脂材料を素材とする成形品からなる。台付き容器１０を構成する樹脂材料としては、ポリエチレン、ポリプロピレン、ポリスチレン、ポリエチレンテレフタレート等の熱可塑性樹脂、さらにはポリ乳酸等の生分解性樹脂の熱可塑性樹脂等が挙げられる。特に、容器本体１１及び蓋体４０は、容器内部の内容物が透視可能となるように、透明樹脂によって成形される。ここで、透明樹脂は、無色または着色の透明または半透明を含むものとする。
【００２０】
台付き容器１０を構成する容器本体１１及び蓋体４０の組み合わせにおいて、それぞれ同一材料で形成してもよいし、異なる材料で形成してもよい。なお、成形容易性や製造コスト等の観点から、容器本体１１及び蓋体４０は透明樹脂シートの成形品よりなる。透明樹脂シートの厚さは適宜ではあるものの、概ね１ｍｍ以下の厚さである。
【００２１】
容器本体１１は、内容物が収容される部材であって、図１，２に示すように、下部が小径となる逆円錐台形状（カップ状）に形成される。図において、符号１２は容器本体１１の開口部、１３は開口部１２の外周に形成されたフランジ部、１４は開口部１２から下方へ逆円錐台形状に小径となる胴部、１５は胴部１４の下部に連設された容器本体１１の底部、１６は底部１５の略中央部分に容器本体１１の内側へわずかに凹ませた補強用の底凹部である。
【００２２】
このカップ状の容器本体１１は、図示の例から理解されるように極めて簡素な形状であるため、真空成形やブロー成形等により安価かつ容易に成形することが可能である。特に、真空成形やブロー成形等によって成形する際には樹脂シートを好適に用いることができ、製造コスト等をより低減させることが可能となる。また、容器本体１１は透明樹脂によって構成されることから、消費者が容器本体１１外部から収容された内容物を視認することが可能となる。そのため、消費者に対して内容物を直接確認させて購買意欲の促進を図る等、陳列効果が向上される。
【００２３】
下筒部２０は、図１，２に示すように、容器本体１１の外周下部に全周に亘って密着して取り付けられる厚紙製の加飾用の部材である。この下筒部２０は、図３〜図５に示すように、略扇状の帯部材２５（２５Ａ，２５Ｂ，２５Ｃ）からなり、容器本体１１の外周形状に沿って筒状に形成されてなる。そして、容器本体１１が内部を透視可能な透明の成形品であることから、容器本体１１の透視状態を完全に妨げることがないように容器本体１１の上部側を開放して下部側に巻着される。その際、下筒部２０は、必要に応じて公知の接着剤等によって容器本体１１に対して接着される。
【００２４】
下筒部２０には、商品の内容表示部２１が形成されて、当該容器１０の外観意匠を規定する。内容表示部２１は、下筒部２０の外面に露出される部分であって、表示内容に応じて適宜に範囲が決定される。内容表示部２１に表示される内容は、内容物の種類や調理法、商品名等の文字情報や、ブランドに係る適宜のパッケージデザインのための図柄等である。これらの表示は公知の印刷方法により適宜に印刷される。この内容表示部２１への表示により、当該容器１０の意匠性や美粧性等を容易に向上させることができ、商品価値が高められる。
【００２５】
図３〜図５は、下筒部２０のバリエーションを表した展開図、すなわち下筒部２０のバリエーションに対応した帯部材２５の平面図である。図３に示す第１実施形態に係る下筒部２０Ａの展開図は、扇状の帯本体２６Ａからなる帯部材２５Ａである。この下筒部２０Ａ（帯部材２５Ａ）は、形状が極めて簡素であるため、製造が容易で経済的に有利である。図４に示す第２実施形態に係る下筒部２０Ｂの展開図は、扇状の帯本体２６Ｂと、帯本体２６Ｂの略中央上辺側に形成された舌片状の膨出面２７とからなる帯部材２５Ｂである。この下筒部２０Ｂ（帯部材２５Ｂ）は、膨出面２７により内容表示部２１の範囲を拡張することができ、より多様な内容表示が可能となる。また、膨出面２７が帯本体２６Ｂの略中央部分に形成されていることから、容器本体１１への装着により膨出面２７側を商品の正面として強調して配置することができ、より意匠性が高められる。図５に示す第３実施形態に係る下筒部２０Ｃの展開図は、扇状の帯本体２６Ｃと、帯本体２６Ｃの上辺側に列状に連設された複数の円弧状の装飾片２８とからなる帯部材２５Ｃである。この下筒部２０Ｃ（帯部材２５Ｃ）は、複数の装飾片２８が帯本体２６Ｃの上辺に連なって配置されることによって外観性が高められる。なお、各図において符号２９は、帯部材２５（２５Ａ，２５Ｂ，２５Ｃ）を筒状に形成する際ののりしろ部である。
【００２６】
台部３０は、容器本体１１を嵩上げするための部位であって、図１，２に示すように、下筒部２０の下端部を内側に環状に折り返して形成される。すなわち、台部３０は下筒部２０と一体に構成されるものであって、前述の帯部材２５の下辺側が折り返されて形成される。台部３０による容器本体１１の嵩上げは、容器本体１１の底部１５が持上げられて接地面Ｇから隔離された状態である。台部３０によって容器本体１１を嵩上げすることにより、容器全体の外観性が向上されるとともに、容器本体１１の底部１５の下側に空間が形成されて断熱（保温）効果が得られる。
【００２７】
また、台部３０は、容器本体１１を安定して立設させる脚部として作用する。この脚部としての台部３０は、厚紙製の下筒部２０の下端部を環状に折り返して形成するものであるから、その折り曲げ部３１が台部３０の内周側へ絞り込まれる。そのため、台部３０の内周側の全周に亘って複数の縦方向のしわ３２が不規則に形成される。このように、厚紙が絞り込まれるように折り返されていることにより、台部３０の強度が増強されるため、脚部としての安定性が向上する。
【００２８】
蓋体４０は、図１，２に示すように、容器本体１１に被冠されて開口部１２を封止する部材である。蓋体４０は、開口部１２のフランジ部１３に熱融着されるシート体や、開口部１２のフランジ部１３に嵌合されるドーム状の成形品等、開口部１２の封止が可能な適宜の形態からなる。図示の蓋体４０はドーム状の成形品であるため、消費者が開封しやすいとともに、高級感が創出さて消費者の購買意欲の促進が期待できる。この蓋体４０により、当該容器１０内への異物等の混入が防止される。また、蓋体４０は容器本体１１と同様に透明樹脂によって構成されることから、消費者が内容物を視認することができて購買意欲が促進される等、陳列効果が向上される。なお、図中の符号４１は蓋本体、４３は蓋本体４１の外周に形成されてフランジ部１３と嵌合する嵌合部である。
【００２９】
ここで、本考案の台付き容器１０と、図６に示す従来の台付き容器１００とを対比する。従来の台付き容器１００では、前述のように射出成形によって台部１３０を一体に有した容器本体１１１が形成される。一方、本考案の台付き容器１０は、容器本体１１が台部を有しないカップ状であるため、従来の射出成形より安価で簡易な真空成形やブロー成形等により成形可能である。特に、樹脂シートから成形すれば、より製造コストを低減させることができる。そして、台付き容器１０の台部３０は、容器本体１１の外周下部に取り付けられる厚紙製の下筒部２０の下端部を内側に環状に折り返して形成されているため、安価な材料によって簡易に設けることが可能である。従って、台付き容器１０は、従来に比して安価で簡易に製造される。
【００３０】
また、本考案の台付き容器１０では、台部３０を有する下筒部２０の加工工程と、該下筒部２０を容器本体１１に取り付ける工程とが連続ライン上で実施される。すなわち、公知の巻付装置により帯部材２５が容器本体１１の外周形状に対応した筒状に巻かれた後、公知の折曲装置によりその下端部が内側に環状に折り返されて台部３０を有する下筒部２０が形成される。そして、この台部３０付きの下筒部２０内に容器本体１１が導入されて、公知の接着剤によって接合される。従って、帯部材２５から下筒部２０と台部３０の加工工程と、容器本体１１との接合工程とが一連に実施されて、生産効率の向上を図ることができる。
【００３１】
さらに、従来の台付き容器１００では、シール体１２０に商品名等の表示内容が印刷されて、図６に示すように容器本体１１１の胴部１１４の一部に貼着されるため、意匠性が乏しく、ゆがんだ状態で貼着されることもあって、商品価値が低下するおそれがあって十分な陳列効果が得られない。これに対し本考案の台付き容器１０では、容器本体１１の外周下部に巻着される下筒部２０が内容表示部２１を兼ねるため、装飾性や美粧性等を容易に向上させることができるとともに、表示内容のゆがみが生じにくくなり、商品価値が高められて優れた陳列効果が期待できる。
【００３２】
なお、本考案の台付き容器は、実施例のみに限定されるものではなく、考案の趣旨を逸脱しない範囲において構成の一部を適宜に変更して実施することができる。
【産業上の利用可能性】
【００３３】
以上の通り、本考案の台付き容器は、従来に比して安価かつ簡易に製造することが可能である。そのため、台付き容器の代替として有望である。
【符号の説明】
【００３４】
１０    台付き容器
１１    容器本体
１２    開口部
１３    フランジ部
１４    胴部
１５    底部
１６    底凹部
２０，２０Ａ，２０Ｂ，２０Ｃ    下筒部
２１    内容表示部
２５，２５Ａ，２５Ｂ，２５Ｃ    帯部材
２６Ａ，２６Ｂ，２６Ｃ    帯本体
２７    膨出面
２８    装飾片
２９    のりしろ部
３０    台部
３１    折り曲げ部
３２    縦方向のしわ
４０    蓋体
４１    蓋本体
４３    嵌合部
Ｇ      接地面
【図１】
0003208182.tif 000003
【図２】
0003208182.tif 000004
【図３】
0003208182.tif 000005
【図４】
0003208182.tif 000006
【図５】
0003208182.tif 000007
【図６】
0003208182.tif 000008